(57)【要約】【課題】使用者の鼻部を被覆可能なフェイスマスクを提供することにある。【解決手段】本発明は、フェイスマスクに関しており、フェイスマスク１は、顔面のうちの少なくとも鼻部を被覆し、鼻部に対応する開口部１１１を有するフェイスマスク本体１１と、鼻マスク１２とを備え、鼻マスク１２は、フェイスマスク本体１１に連結される連結部１２１と、フェイスマスク本体１１の一部であって開口部１１１の外縁のうちの少なくとも一部と重複する重複部１２２とを有する。本発明によれば、開口部から突出した鼻部を覆うと共に、鼻部と頬部との間に対応する隙間を少なくすることができる。【選択図】図１
2014147463.tif 000002
【特許請求の範囲】
【請求項１】
顔面のうちの少なくとも鼻部を被覆するフェイスマスクであって、
前記鼻部に対応する開口部を有するフェイスマスク本体と、
鼻マスクと
を備え、
前記鼻マスクは、
前記フェイスマスク本体に連結される連結部と、
前記フェイスマスク本体の一部であって前記開口部の外縁のうちの少なくとも一部と重複する重複部と
を有する、フェイスマスク。
【請求項２】
前記開口部は、切り込み線又は切り抜き孔によって規定されている、請求項１に記載のフェイスマスク。
【請求項３】
前記フェイスマスク本体及び前記鼻マスクは、不織布、紙又はフィルムを含む、請求項１又は請求項２に記載のフェイスマスク。
【請求項４】
前記フェイスマスク本体又は前記鼻マスクの少なくとも一方は、液体又はゲルを含有する、請求項１から請求項３のいずれか１項に記載のフェイスマスク。
【請求項５】
前記鼻マスクは、前記鼻部の形状に前記鼻マスクを変形した場合、前記鼻部の鼻柱に向かって切り欠かれた切り欠き部、又は前記鼻部の鼻柱に向かって切り込まれた切り込み部を含む、請求項１から請求項４のいずれか１項に記載のフェイスマスク。
【請求項６】
前記鼻部に対向する第１主面とは反対側の第２主面に設けられる変形保持部を備え、
前記変形保持部を介して前記鼻マスクに力を付与することにより、前記変形保持部が前記鼻部の形状に変形し前記鼻部の形状を保持する、請求項１から請求項５のいずれか１項に記載のフェイスマスク。
【請求項７】
前記鼻マスクは、前記変形保持部と共に変形し、前記鼻部の形状に保持される、請求項６に記載のフェイスマスク。
【請求項８】
前記変形保持部は、前記鼻部の形状に前記変形保持部を変形した場合、前記鼻部の鼻柱に向かって切り欠かれた切り欠き部を含む、請求項６又は請求項７に記載のフェイスマスク。
【請求項９】
前記変形保持部は、前記鼻マスクに熱融着、接着又は縫合によって取り付けられている、請求項６から請求項８のいずれか１項に記載のフェイスマスク。
【請求項１０】
前記変形保持部は、前記鼻部の鼻柱に沿った方向に延びた溝部を有する、請求項６から請求項９のいずれか１項に記載のフェイスマスク。
【請求項１１】
前記変形保持部は、変形保持性を有する樹脂及び変形保持性を有する金属のうちの少なくとも一方を含む、請求項６から請求項１０のいずれか１項に記載のフェイスマスク。
【発明の詳細な説明】
【技術分野】
【０００１】
本発明は、フェイスマスクに関する。
【背景技術】
【０００２】
近年、顔面の皮膚に化粧水や美容液等を供給する際、フェイスマスクが一般的に使用されている。特許文献１に記載されたフェイスマスクは、顔面のうちの少なくとも鼻部を被覆し、鼻部に対応する開口部を有するフェイスマスク本体と、本体に連結されている鼻マスクとを備えている。
【先行技術文献】
【特許文献】
【０００３】
【特許文献１】特開２００９−１９５３７３号公報
【発明の概要】
【発明が解決しようとする課題】
【０００４】
しかしながら、特許文献１に記載されたフェイスマスクにおいて、鼻部に対応する部分は、フェイスマスク本体において切り込み線により規定されたものである。そのため、フェイスマスクは、使用者の鼻部の形状に合わせて変形した場合、鼻部と頬部との間において、フェイスマスクにより被覆されていない隙間が生じてしまう。その結果、使用者の鼻部周辺の領域は、フェイスマスクにより一部分しか被覆されず、十分なケアが得られない。
【０００５】
本発明は、上記課題を鑑みてなされたものであり、その目的の１つは、使用者の鼻部を被覆可能なフェイスマスクを提供することにある。
【課題を解決するための手段】
【０００６】
本発明によるフェイスマスクは、顔面のうちの少なくとも鼻部を被覆し、前記鼻部に対応する開口部を有するフェイスマスク本体と、鼻マスクとを備え、前記鼻マスクは、前記フェイスマスク本体に連結される連結部と、前記フェイスマスク本体の一部であって前記開口部の外縁のうちの少なくとも一部と重複する重複部とを有する。
【０００７】
ある実施形態において、前記開口部は、切り込み線又は切り抜き孔によって規定されている。
【０００８】
ある実施形態において、前記フェイスマスク本体及び前記鼻マスクは、不織布、紙又はフィルムを含む。
【０００９】
ある実施形態において、前記フェイスマスク本体又は前記鼻マスクの少なくとも一方は、液体又はゲルを含有する。
【００１０】
ある実施形態において、前記鼻マスクは、前記鼻部の形状に前記鼻マスクを変形した場合、前記鼻部の鼻柱に向かって切り欠かれた切り欠き部、又は前記鼻部の鼻柱に向かって切り込まれた切り込み部を含む。
【００１１】
ある実施形態において、前記フェイスマスクは、前記鼻部に対向する第１主面とは反対側の第２主面に設けられる変形保持部を備え、前記変形保持部を介して前記鼻マスクに力を付与することにより、前記変形保持部が前記鼻部の形状に変形し前記鼻部の形状を保持する。
【００１２】
ある実施形態において、前記鼻マスクは、前記変形保持部と共に変形し、前記鼻部の形状に保持される。
【００１３】
ある実施形態において、前記変形保持部は、前記鼻部の形状に前記変形保持部を変形した場合、前記鼻部の鼻柱に向かって切り欠かれた切り欠き部を含む。
【００１４】
ある実施形態において、前記変形保持部は、前記鼻マスクに熱融着、接着又は縫合によって取り付けられている。
【００１５】
ある実施形態において、前記変形保持部は、前記鼻部の鼻柱に沿った方向に延びた溝部を有する。
【００１６】
ある実施形態において、前記変形保持部は、変形保持性を有する樹脂及び変形保持性を有する金属のうちの少なくとも一方を含む。
【発明の効果】
【００１７】
本発明によれば、開口部から突出した鼻部を覆うと共に、鼻部と頬部との間に対応する隙間を少なくすることができる。
【図面の簡単な説明】
【００１８】
【図１】本発明の実施形態１におけるフェイスマスク１の未使用状態を示す斜視図である。
【図２】本発明の実施形態１におけるフェイスマスク１の使用状態を示す斜視図である。
【図３】本発明の実施形態２におけるフェイスマスク２の鼻マスク２３の未使用状態及び使用状態を示す図である。
【図４】本発明の実施形態３におけるフェイスマスク３の未使用状態を示す斜視図である。
【図５】本発明の実施形態３における鼻マスク３２及び変形保持部３３の断面構造を示す断面図である。
【図６】本発明の実施形態３におけるフェイスマスク３の使用状態を示す斜視図である。
【図７】本発明の実施形態４におけるフェイスマスク４の未使用状態を示す斜視図である。
【図８】本発明の実施形態４におけるフェイスマスク４の複合体４０を示す平面図である。
【図９】本発明の実施形態４におけるフェイスマスク４の複合体４０の使用状態を示す斜視図である。
【図１０】本発明の実施形態４におけるフェイスマスク４の溝部４３４を拡大して示す斜視図である。
【図１１】本発明の他の実施形態に係る変形保持部の形状例（ａ）〜（ｆ）を例示する平面図である。
【図１２】複数の変形保持部ユニットから構成された変形保持部と鼻マスクとから形成された複合体の形状例（ａ）〜（ｃ）を示す平面図である。
【図１３】フェイスマスク５の未使用状態を示す平面図である。
【図１４】フェイスマスク５の使用状態を示す斜視図である。
【図１５】フェイスマスク６の未使用状態を示す平面図である。
【図１６】フェイスマスク６の使用状態を示す斜視図である。
【発明を実施するための形態】
【００１９】
以下、図面を参照して本発明によるフェイスマスクの実施形態を説明する。ただし、本発明は以下の実施形態に限定されない。
［実施形態１：フェイスマスク１］
図１（ａ）は、本発明の実施形態１におけるフェイスマスク１の未使用状態を示す斜視図である。フェイスマスク１は、フェイスマスク本体１１と鼻マスク１２とを備えており、フェイスマスク本体１１は、使用者の顔面のうちの鼻部に対応する開口部１１１を有している。鼻マスク１２は、使用者の顔面のうちの鼻根部に対応する連結部１２１を有しており、連結部１２１によって、フェイスマスク本体１１に連結されている。
【００２０】
鼻マスク１２は、フェイスマスク本体１１において連結部１２１である一端が固定された状態で他端が可動である。図１において、鼻マスク１２を示す実線は、開口部１１１を露出させる状態を表しており、鼻マスク１２は矢印Ａに沿って回転し、二点鎖線で示される位置に鼻マスク１２を移動することができる。
【００２１】
鼻マスク１２は、二点鎖線で示される位置に移動すると、フェイスマスク本体１１と同一平面にすることができる。図１（ｂ）は、フェイスマスク本体１１と鼻マスク１２とが同一平面になる状態を示す平面図である。破線で示す開口部１１１は、鼻マスク１２により被覆されているため、露出していない。
【００２２】
ここで、鼻マスク１２は、フェイスマスク本体１１の一部と重複する。鼻マスク１２とフェイスマスク本体１１とが重複する部分は、開口部１１１を表す破線と鼻マスク１２を表す実線とで囲んだ領域Ｂに相当する。鼻マスク１２の領域Ｂに対応する部分は、連結部１２１を含むが、鼻マスク１２の領域Ｂに対応する部分から連結部１２１を除いた部分を、重複部１２２とする。重複部１２２は、フェイスマスク本体１１における開口部１１１の外縁の一部に対応する。フェイスマスク１の使用時に、重複部１２２は、頬部と鼻翼部とが近接する部分の少なくとも一部を被覆する。以下、図２を参照してフェイスマスク１の使用状態について説明する。
【００２３】
図２は、フェイスマスク１の使用状態を示す斜視図である。使用者がフェイスマスク１を使用する場合、フェイスマスク本体１１を顔面に密着させるとともに、突出した鼻部を開口部１１１から露出させる。鼻マスク１２は、鼻部の形状に合わせて変形し、鼻部を被覆する。
【００２４】
鼻部は立体的な形状を有するため、鼻部の両側における鼻翼の面積Ｓは、使用者の顔面に鼻部が占める面積Ｓ’より大きい。仮に、先行文献１に記載されているような開口部と同じ面積の鼻マスクを備えるフェイスマスクを用いる場合、面積Ｓと面積Ｓ’との差により、鼻部と頬部との間に隙間が生じる。
【００２５】
そこで、重複部１２２は、面積Ｓと面積Ｓ’との差を補い、鼻部と頬部との間に生じる隙間の少なくとも一部を埋めるように形成されている。重複部１２２は、鼻マスク１２を使用者の鼻部の形状に合わせて変形した場合、鼻部と頬部との間に対応する隙間であって先行文献１のフェイスマスクにより被覆されていない隙間を少なくすることができる。
【００２６】
フェイスマスク本体１１は、コストを低減させる観点から、１枚のシート材によって形成されてもよい。また、フェイスマスク本体１１は、多くの使用者の顔面の形状に適用できるように、上下又は左右に配置される複数枚のシート材を合わせることによって形成されてもよい。
【００２７】
フェイスマスク本体１１及び鼻マスク１２は、化学繊維（ポリエチレン、ポリエステル、ポリウレタン、塩化ビニル等）、自然繊維（綿、毛等）等を含む不織布、紙又はフィルムによって形成される。
【００２８】
フェイスマスク１が未使用の場合、鼻マスク１２は、フェイスマスク本体１１と同一平面にすることができるため、複数のフェイスマスク１を積み重ねて収納可能である。さらに、シート状であるフェイスマスク１を折り畳んで、例えば、円柱状、円盤状の圧縮塊に圧縮することができる。
【００２９】
［実施形態２：フェイスマスク２］
図３を参照して、本発明の実施形態２におけるフェイスマスク２の鼻マスク２２を説明する。
【００３０】
本実施形態のフェイスマスク２は、実施形態１のフェイスマスク１と比較して、鼻マスク２２の部分が異なる。以下、本実施形態の鼻マスク２２を説明する。
【００３１】
図３（ａ）は、鼻マスク２２の未使用状態を示す平面図である。鼻マスク２２は、略等脚台形の形状を呈している。鼻マスク２２は、鼻部の鼻翼全面を被覆するために、下底辺の幅ｄ1（すなわち、使用者の小鼻を被覆する部分の長さに相当）が、上底辺の幅ｄ2（すなわち、使用者の鼻根部を被覆する部分の長さに相当）より広くなるように形成されている。
【００３２】
等脚台形の両脚は、鼻マスク２２の重複部の両側縁Ｅに相当し、鼻翼と頬部とが近接する部分に対応する。図３（ａ）において、一点鎖線で示す等脚台形の中心軸は、鼻柱に沿う線に相当する。両側縁Ｅのそれぞれにおいては、等脚台形の中心軸に向かって延びる切り込み線により、切り込み部２２３が形成されている。
【００３３】
切り込み部２２３によれば、フェイスマスク２を使用する場合、鼻マスク２２の被覆面積を使用者の鼻部の形状に合わせて調整可能にする。以下、図３（ｂ）を参照して、切り込み部２２３を有する鼻マスク２２の使用状態を説明する。
【００３４】
図３（ｂ）は、鼻マスク２２の使用状態を示す斜視図である。鼻マスク２２が鼻部の形状に変形する場合、等脚台形の対称軸は鼻柱に対応する。鼻柱に向かって延びた切り込み部２２３によって、鼻マスク２２の切り込み部２２３の両側部分を重複させることができる。
【００３５】
すなわち、切り込み部２２３の片側部分は、他側部分により覆われている。図３（ｂ）の破線は、覆われていた片側の切り込み線を示し、実線は、片側部分を覆う他側部分の切り込み線を示す。破線と実線とによって囲まれた領域は、切り込み部２２３の両側部分の重複部分に相当する。したがって、鼻マスク２２の切り込み部２２３の両側部分の重複度合を調節すれば、鼻マスク２２の使用状態における表面積を変えることができる。その結果、切り込み部２２３によれば、鼻部の形状や鼻部の表面積に合わせて鼻マスク２２を変形させることができる。
【００３６】
さらに、他の実施形態では、鼻マスクは、切り込み部の代わりに、鼻部の形状に変形した場合に鼻部の鼻柱に向かって切り欠かれた切り欠き部を有していてもよい。切り込み部と同様に、切り欠き部によれば、鼻部の形状に合わせて鼻マスクを変形させることができる。鼻マスクの材質や加工性等の観点から、切り込み部から選定することができる。
【００３７】
［実施形態３：フェイスマスク３］
図４は、本発明の実施形態３におけるフェイスマスク３の未使用状態を示す斜視図である。フェイスマスク３は、フェイスマスク本体３１と鼻マスク３２と変形保持部３３とを備える。フェイスマスク本体３１は、使用者の顔面のうちの鼻部に対応する開口部３１１を有しており、鼻マスク３２は、フェイスマスク本体３１に連結される連結部３２１を有する。変形保持部３３は、鼻マスク３２の一部と重複して形成されている。
【００３８】
鼻マスク３２及び変形保持部３３は、連結部３２１を介して、フェイスマスク本体３１に一端が固定された状態で他端が可動であって、鼻部の露出を覆うことができる。図４において、鼻マスク３２及び変形保持部３３を示す実線は、開口部３１１を露出させる状態を表しており、鼻マスク３２及び変形保持部３３は、矢印Ａに沿って回転し、鼻マスク３２及び変形保持部３３を二点鎖線で示される位置に移動することができる。
【００３９】
鼻マスク３２は、重複部３２２を有している。重複部３２２は、フェイスマスク本体３１の一部であって開口部３１１の外縁のうちの少なくとも一部（領域Ｃ）と重複する。重複部３２２は、フェイスマスク３の使用時に使用者の頬部と鼻翼部との間に生じ得る隙間を埋めるために形成されている。
【００４０】
図５は、鼻マスク３２及び変形保持部３３の断面構造を示し、図４に示すＶ−Ｖ線に沿った断面図である。鼻マスク３２においては、鼻部に対向する面を第１主面Ｍとし、第１主面Ｍと反対側の主面を第２主面Ｎとする。変形保持部３３は、鼻マスク３２の第２主面Ｎに設けられている。
【００４１】
変形保持部３３は、変形保持性を有する材料から形成され、所定より強い力を変形保持部３３に付与することにより、自由かつ簡単に変形保持部３３の形状を変えることができる。また、変形保持部３３の変形後、変形保持部３３に比較的弱い反対の力が更に付与されても、変形保持部３３は、その形状を保持し続け、曲げ戻りがほとんどない。
【００４２】
図６は、フェイスマスク３の使用状態を示す斜視図である。フェイスマスク３を使用する場合、使用者の鼻部の形状に合わせるように、変形保持部３３に力を付与することによって、変形保持部３３が使用者の鼻部の形状に変形する。変形後、変形保持部３３はその形状を保持する。変形保持部３３の変形にともない、変形保持部３３を取り付けた鼻マスク３２も共に変形して、使用者の鼻部に密着したままで形状が保持される。
【００４３】
その結果、鼻マスク３２のうちの変形保持部３３と重複した部分は、使用者の小鼻部に密着する。また、鼻マスク３２のうちの変形保持部３３に覆われていない部分は、鼻マスク３２の本来の柔軟性及び弾力性によって、使用者の鼻部に密着する。
【００４４】
変形保持部３３は、鼻部の形状、特に小鼻部の形状に合わせて変形する。変形保持部３３及び鼻マスク３２を形成する素材の材質、又は使用者の特徴（例えば、年齢、性別）等に合わせて変形保持部３３の形状を規定することができる。
【００４５】
変形保持部３３は、変形保持部３３及び鼻マスク３２を形成する素材間の粘着性や加工性を考慮して、熱融着、接着又は縫合によって鼻マスク３２に接合される。
【００４６】
変形保持部３３は、変形保持性を有する樹脂及び変形保持性を有する金属のうちの少なくとも一方を含む材料から形成される。変形保持性を有する樹脂は、例えば、ポリオレフィン系ポリマーであり、変形保持性を有する金属は、例えば、アルミニウム、チタンである。なお、変形保持性を有する金属としてアルミニウムを使用して変形保持部３３を形成するためには、樹脂とアルミニウムとをラミネートすることが好ましい。
【００４７】
［実施形態４：フェイスマスク４］
図７、図８、図９及び図１０を参照して、本発明の実施形態４におけるフェイスマスク４を説明する。
【００４８】
図７は、本発明の実施形態４におけるフェイスマスク４の未使用状態を示す斜視図である。フェイスマスク４は、フェイスマスク本体４１と鼻マスク４２と変形保持部４３とを備える。
【００４９】
フェイスマスク本体４１は、シート状の不織布で形成されており、使用者の顔全面を被覆し、さらに、鼻部に対応する部位において、開口部４１１を有している。開口部４１１は、顔面から隆起した鼻部を露出させるために、逆Ｔ字型の切り込み線により規定されている。鼻部がフェイスマスク本体４１から露出することにより、フェイスマスク本体４１は、顔面から浮き上がることなく、頬部等に接触する。
【００５０】
複合体４０は、鼻マスク４２と変形保持部４３とが同じ形状で重複することにより形成されている。そのため、鼻部の鼻翼や鼻柱に対応する複合体４０の各部分は、鼻マスク４２と変形保持部４３とのいずれにおいても対応している。複合体４０において、鼻マスク４２が鼻部に接触するように、変形保持部４３は、鼻部に対向する第１主面とは反対側の第２主面に設けられている。
【００５１】
複合体４０は、鼻マスク４２の鼻根部に対応する部位で連結部４０２を有する。複合体４０は、フェイスマスク本体４１に熱融着によって連結部４０２で取り付けられている。図４において、連結部４０２とフェイスマスク本体４１との熱融着箇所を、連結部４０２における等間隔の点で表す。
【００５２】
複合体４０のうち、連結部４０２である一端部がフェイスマスク本体４１に固定されており、他端部が可動である。その結果、複合体４０は、開口部４１１から露出した鼻部を被覆することができる。
【００５３】
複合体４０は、フェイスマスク本体４１の一部であって開口部４１１の外縁のうちの少なくとも一部と重複する重複部を有する。すなわち、複合体４０の重複部は、逆Ｔ字状の切り込み線の両側部と重複する。複合体４０を鼻部の形状に合わせて変形させる場合、複合体４０は、逆Ｔ字型の切り込み線により規定された開口部４１１から露出した鼻部、特に、鼻柱の部分を被覆する。
【００５４】
変形保持部４３は、変形保持性を有する樹脂シート、例えば、ポリエチレンシート（積水化学社製、製品名：フォルテ（登録商標））から形成されている。変形保持部４３は、熱融着で鼻マスク４２に接合されている。したがって、鼻マスク４２は、変形保持部４３と共に変形する。以下、図８を参照して、鼻マスク４２と変形保持部４３とから形成される複合体４０についてさらに説明する。
【００５５】
図８は、本発明の実施形態４におけるフェイスマスク４の複合体４０を示す平面図である。図８において、複合体４０の周縁部には複数の点が表されている。複数の点は熱融着による融着点を表す。複合体４０は、等脚台形を呈しており、使用者の鼻柱に相当する中央の縦線（一点鎖線）が等脚台形の対称軸となっている。
【００５６】
複合体４０は、切り欠き部４０３を有する。切り欠き部４０３には、横方向に細長い三角形を呈する複数の切り欠きが縦線（一点鎖線）に対して左右対称に設けられている。変形保持部４３を鼻部の形状に変形させると、切り欠き部４０３は、鼻部の鼻柱に向かって延びている。
【００５７】
図９は、複合体４０の使用状態を示す斜視図である。フェイスマスク４を使用する時、平面状であった複合体４０に対して力を付与して、複合体４０を、使用者の鼻部の形状に変形させる。変形後、力の付与をやめても、複合体４０は鼻部の形状に変形したままで保持される。
【００５８】
さらに、鼻部の勾配、鼻翼部の面積及び鼻柱と顔面とが成した角度などに関する使用者間の相違に応じて、変形後の切り欠きの幅ｗが異なる。すなわち、複合体４０が切り欠き部４０３を有することによって、複合体４０は、異なる使用者の鼻部に合わせて変形しやすくなり、特に、小鼻部に対する鼻マスク４２の密着度が向上する。
【００５９】
図１０は、図９に示された領域ＶＩＩの近傍部の拡大図である。図１０に示すように、変形保持部４３は、例えば、溝部４３４を有する。溝部４３４は、鼻柱に沿った方向に延びる溝を有する。溝部４３４は、鼻部の鼻柱に沿うように、変形保持部４３に形成されており、指先による鼻摘み時の変形保持部４３の横折れを防止することができる。溝部４３４は、鼻柱に対応する線に沿うように変形保持部４３を折り畳むことにより形成可能である。
【００６０】
さらに、他の実施形態において、溝部４３４は、溝の代わりに、鼻柱に対応する線に沿って、軽度の部分熱溶融、又は樹脂や金属などでの積層により形成されてもよい。
【００６１】
［その他の実施形態］
本発明に係る変形保持部は、変形保持部３３、４３に示す形状に限定されず、図１１（ａ）〜図１１（ｆ）により示される形状を含む。図１１（ａ）は、切り欠き部を有しない略台形の変形保持部を示し、図１１（ｂ）は、切り欠き部を有しない三角形の変形保持部を示し、図１１（ｃ）は、左右対称に１対の切り欠き部を有する略台形の変形保持部を示す。さらに、図１１（ｄ）は、左右対称ではない複数箇所に切り欠かれた切り欠き部を有する略台形の変形保持部を示し、図１１（ｅ）は、曲線状に切り欠かれた切り欠き部を有する略台形の変形保持部を示し、図１１（ｆ）は、不規則多辺形である枠状の変形保持部を示す。
【００６２】
さらに、変形保持部は、変形保持性を有する金属を含んでもよい。他の一実施形態において、変形保持部は、チタン含有複合フィルムから形成されている。チタン含有の複合フィルムは、メッシュ状構造の金属又はフィルム状構造の金属に樹脂を充填したり、被覆したりすることによって作製される。したがって、高い変形保持性が変形保持部に付与される、さらに、酸性、アルカリ性の溶液に対し、強い耐久性を有する。そのため、鼻マスクが種々の溶液に含浸される場合も、変形保持部は鼻マスクの形状を好適に保持することができる。
【００６３】
さらに、変形保持部は、互いに連結されない複数の変形保持部ユニットを有し得る。図１２（ａ）〜図１２（ｃ）は、複数の変形保持部ユニットを有する変形保持部と鼻マスクとから形成された複合体を示す。複数の変形保持部ユニットは、縦方向に間隔をおいて鼻マスクに取り付けられている。図１２（ａ）は、横方向に細長い長方形を呈する複数の変形保持部ユニットを有する複合体を示す。図１２（ｂ）及び図１２（ｃ）は、それぞれ複数の星状及びハート状を呈する変形保持部を有する複合体を示す。
【００６４】
図１２（ａ）〜図１２（ｃ）に示す複合体のいずれにおいても、鼻マスクは、変形保持部により被覆されていない部分Ｕを有している。すなわち、部分Ｕは、柔軟性のある鼻マスクから形成されている。複合体が部分Ｕを有することによって、変形保持部に、鼻部の鼻柱に向かって延びるように切り欠かれた切り欠き部が設けられることと同様な効果が得られる。複合体の部分Ｕによって、複合体が使用者の鼻部の鼻翼側へ曲がりやすくなるとともに、変形する形状の調整が容易になり、複合体の形状を使用者の小鼻部に更にフィットする形状に変形できる。
【００６５】
以上、図１〜図１２を参照して、本発明のフェイスマスクを説明した。本発明のフェイスマスクによれば、鼻マスクが使用者の鼻部の形状に変形した場合、開口部から突出した鼻部を覆うと共に、鼻部と頬部との間に対応する隙間を少なくすることが可能である。
【００６６】
その結果、鼻部の形状や表面積に合わせて、フェイスマスクを被覆させることができる。
【００６７】
なお、本発明に係るフェイスマスクは、液体又はゲルなどを含浸させて使用されることが好ましい。液体は、例えば、化粧水や美容液であり、ゲルは、例えば、美容効果を有するゲルである。
【００６８】
以上、図１、図３、図４、図７を参照して、重複部を有するフェイスマスクの実施形態を説明したが、重複部の有無を問わず、変形保持部を有するフェイスマスクも本発明に含まれる。以下、図１３及び図１４を参照して、重複部を有することなく、変形保持部を有するフェイスマスク５の実施形態を説明する。
【００６９】
図１３は、フェイスマスク５の未使用状態を示す斜視図である。フェイスマスク５は、顔面のうちの少なくとも鼻部を被覆し、フェイスマスク本体５１と、フェイスマスク本体５１に連結される鼻マスク５２と、変形保持部５３とを備える。
【００７０】
鼻マスク５２においては、鼻部に対向する面を第１主面とし、第１主面と反対側の主面を第２主面とする。変形保持部５３は、鼻マスク５２の第２主面に設けられる。変形保持部５３を介して鼻マスク５２に力を付与することにより、変形保持部５３が鼻部の形状に変形し鼻部の形状を保持する。
【００７１】
鼻マスク５２は、フェイスマスク本体５１の一部を切ることによって形成され、フェイスマスク本体５１に一体的に連結している。ここでは、フェイスマスク本体５１は、使用者の顔面のうちの鼻部に対応する開口部５１１を有している。鼻マスク５２及び変形保持部５３は、フェイスマスク本体５１に対して一端が固定された状態で他端が移動可能であって、鼻部の露出を覆うことができる。図１３において、鼻マスク５２及び変形保持部５３を示す実線は、開口部５１１を露出させる状態を表しており、鼻マスク５２及び変形保持部５３は、矢印Ａに沿って回転し、開口部５１１を過不足なく覆うことができる。
【００７２】
変形保持部５３は、変形保持性を有する材料から形成され、所定より強い力を変形保持部５３に付与することにより、自由かつ簡単に変形保持部５３の形状を変えることができる。また、変形保持部５３の変形後、変形保持部５３に比較的弱い力が更に付与されても、変形保持部５３は、その形状を保持し続け、曲げ戻りがほとんどない。
【００７３】
図１４は、フェイスマスク５の使用状態を示す斜視図である。フェイスマスク５を使用する場合、使用者の鼻部の形状に合わせるように、変形保持部５３に力を付与することによって、変形保持部５３が使用者の鼻部の形状に変形し、変形保持部５３の変形後、その形状を保持する。それに従い、変形保持部５３を取り付けた鼻マスク５２も共に変形して、使用者の鼻部に密着したままで形状が保持される。
【００７４】
変形保持部５３は、変形保持部５３及び鼻マスク５２を形成する素材間の粘着性や加工性の観点から、熱融着、接着又は縫合によって鼻マスク５２に接合される。
【００７５】
以上、図１３及び図１４を参照して、重複部を有することなく、変形保持部を有するフェイスマスク５の実施形態を説明したが、変形保持部５３を介して鼻マスク５２に力を付与することにより変形保持部５３が鼻部の形状に変形し鼻部の形状を保持する限りは、フェイスマスク５は、開口部を有することに限定されない。
【００７６】
さらに、図１５及び図１６を参照して、重複部及び開口部を有しておらず、変形保持部を有するフェイスマスク６を説明する。
【００７７】
図１５は、図１３及び図１４を参照して説明したフェイスマスクと異なる一実施形態であるフェイスマスク６の平面図を示す。フェイスマスク６は、使用者の鼻根部分に対応するフェイスマスク本体６１と、鼻部の勾配部及びその周囲部に対応する鼻マスク６２と、鼻マスク６２に取り付けられる変形保持部６３とを備えている。
【００７８】
フェイスマスク６は、フェイスマスク本体６１と鼻マスク６２とが１枚のシートにより形成される。フェイスマスク本体６１及び鼻マスク６２の間には、明確な境界線が設けられておらず、鼻部の勾配部分及びその周囲に対応するシートの部分を鼻マスク６２とし、それ以外の部分、例えば、鼻根部分に対応するシートの部分をフェイスマスク本体６１とする。当該シートのうちの鼻部の勾配部に対応する部分に変形保持部６３を取り付けることによって、フェイスマスク６が形成される。
【００７９】
図１６は、フェイスマスク６の使用状態を示す斜視図である。フェイスマスク６は、主に使用者の顔面のＴゾーン部分を被覆するために使用される。変形保持部６３を介して、鼻マスク６２に力を付与する。その結果、変形保持部６３が鼻部の形状に変形するとともに、鼻マスク６２が変形保持部６３と同様な形状に変形する。変形後、鼻マスク６２が使用者の鼻部、特に、小鼻部に密着したままで保持される。
【００８０】
フェイスマスク本体６１は、フェイスマスク本体６１の本来の柔軟性及び弾力性によって、使用者の鼻根部分に密着する。
【産業上の利用可能性】
【００８１】
本発明は、美容用フェイスマスクなどに適用することができる。
【符号の説明】
【００８２】
１            フェイスマスク
１１          フェイスマスク本体
１１１        開口部
１２          鼻マスク
１２１        連結部
１２２        重複部
２２          鼻マスク
２２３        切り込み部
３            フェイスマスク
３１          フェイスマスク本体
３１１        開口部
３２          鼻マスク
３２１        連結部
３２２        重複部
３３          変形保持部
４            フェイスマスク
４０          複合体
４０２        連結部
４０３        切り欠き部
４１          フェイスマスク本体
４１１        開口部
４２          鼻マスク
４３          変形保持部
４３４        溝部
５            フェイスマスク
５１          フェイスマスク本体
５１１        開口部
５２          鼻マスク
５３          変形保持部
６            フェイスマスク
６１          フェイスマスク本体
６２          鼻マスク
６３          変形保持部
【図１】
2014147463.tif 000003
【図２】
2014147463.tif 000004
【図３】
2014147463.tif 000005
【図４】
2014147463.tif 000006
【図５】
2014147463.tif 000007
【図６】
2014147463.tif 000008
【図７】
2014147463.tif 000009
【図８】
2014147463.tif 000010
【図９】
2014147463.tif 000011
【図１０】
2014147463.tif 000012
【図１１】
2014147463.tif 000013
【図１２】
2014147463.tif 000014
【図１３】
2014147463.tif 000015
【図１４】
2014147463.tif 000016
【図１５】
2014147463.tif 000017
【図１６】
2014147463.tif 000018
【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
顔面のうちの少なくとも鼻部を被覆するフェイスマスクであって、
前記鼻部に対応する開口部を有するフェイスマスク本体と、
鼻マスクと
を備え、
前記鼻マスクは、
前記フェイスマスク本体に連結される連結部と、
前記フェイスマスク本体の一部であって前記開口部の外縁のうちの少なくとも一部と重複する重複部と
を有するとともに、フェイスマスク本体において連結部である一端が固定された状態でその他端が可動であるフェイスマスク。
【請求項２】
前記開口部は、切り込み線又は切り抜き孔によって規定されている、請求項１に記載のフェイスマスク。
【請求項３】
前記フェイスマスク本体及び前記鼻マスクは、不織布、紙又はフィルムを含む、請求項１又は請求項２に記載のフェイスマスク。
【請求項４】
前記フェイスマスク本体又は前記鼻マスクの少なくとも一方は、液体又はゲルを含有する、請求項１から請求項３のいずれか１項に記載のフェイスマスク。
【請求項５】
前記鼻マスクは、前記鼻部の形状に前記鼻マスクを変形した場合、前記鼻部の鼻柱に向かって切り欠かれた切り欠き部、又は前記鼻部の鼻柱に向かって切り込まれた切り込み部を含む、請求項１から請求項４のいずれか１項に記載のフェイスマスク。
【請求項６】
前記鼻部に対向する第１主面とは反対側の第２主面に設けられる変形保持部を備え、
前記変形保持部を介して前記鼻マスクに力を付与することにより、前記変形保持部が前記鼻部の形状に変形し前記鼻部の形状を保持する、請求項１から請求項５のいずれか１項に記載のフェイスマスク。
【請求項７】
前記鼻マスクは、前記変形保持部と共に変形し、前記鼻部の形状に保持される、請求項６に記載のフェイスマスク。
【請求項８】
前記変形保持部は、前記鼻部の形状に前記変形保持部を変形した場合、前記鼻部の鼻柱に向かって切り欠かれた切り欠き部を含む、請求項６又は請求項７に記載のフェイスマスク。
【請求項９】
前記変形保持部は、前記鼻マスクに熱融着、接着又は縫合によって取り付けられている、請求項６から請求項８のいずれか１項に記載のフェイスマスク。
【請求項１０】
前記変形保持部は、前記鼻部の鼻柱に沿った方向に延びた溝部を有する、請求項６から請求項９のいずれか１項に記載のフェイスマスク。
【請求項１１】
前記変形保持部は、変形保持性を有する樹脂及び変形保持性を有する金属のうちの少なくとも一方を含む、請求項６から請求項１０のいずれか１項に記載のフェイスマスク。